(57)【要約】【課題】  紙の代替としての表示装置の利用を容易にする。【解決手段】  表示装置１００は、４隅に通信端子１０１を具備する。データ処理装置１０２は、通信端子１０１に接続可能な通信端子１０５を具備する。データ処理装置１０２は、表示装置１００と接続する状態で、ユーザの所定指示に従い、表示装置１００の記憶内容を読み込み、当該所定指示に応じた処理を行い、処理されたデータを表示装置１００に転送する。【選択図】  図１
2005173477.tif 000002
【特許請求の範囲】
【請求項１】
第１の通信手段（１０１，３０１）、画像メモリ（３０３）、及び当該画像メモリの記憶画像を表示する表示デバイス（３０４，３０５）を具備する表示装置（１００）と、
操作手段（１０４，１０８）、当該表示装置（１００）の当該第１の通信手段に接続可能な第２の通信手段（１０３）及びメモリを具備するデータ処理装置（１０２）
とを具備する表示システムであって、
当該データ処理装置は、当該表示装置（１００）と接続する状態で、ユーザの所定指示に従い、当該表示装置（１００）の当該画像メモリの記憶内容を当該メモリに読み込み、当該所定指示に応じた処理を行い、処理されたデータを当該表示装置の当該画像メモリに転送することを特徴とする表示システム。
【請求項２】
当該第１の通信手段が、当該データ処理装置の通信手段に接続可能な複数の接続手段（２０１Ａ，２０１Ｂ〜２９８Ａ，２０８Ｂ）を具備し、
当該表示装置が、当該複数の接続手段の内、当該データ処理装置（１０２）との通信に使用する接続手段を当該データ処理装置に通知する手段と、当該画像メモリにデータを記録したときに使用した接続手段を特定する情報を記憶し、当該データ処理装置に通知する手段とを具備し、
当該データ処理装置は、当該表示装置（１００）からの当該通知に従い、当該表示装置に送出すべき画像データを処理する
ことを特徴とする請求項１に記載の表示システム。
【請求項３】
当該データ処理装置は、第３の通信手段を具備することを特徴とする請求項１又は２に記載の表示システム。
【請求項４】
更に、当該表示装置と同じ構成の１以上の表示装置を具備することを特徴とする請求項１乃至３の何れか１項に記載の表示システム。
【請求項５】
当該データ処理装置は、ユーザによって指定された１つの表示装置の画像メモリに記録されている画像データを、別の１以上の表示装置にコピー可能であることを特徴とする請求項４に記載の表示システム。
【請求項６】
当該データ処理装置は、これらの表示装置に記憶される画像データを、これらの表示装置にランダムに再記録可能であることを特徴とする請求項４又は５に記載の表示システム。
【請求項７】
複数の当該表示装置を重ね合わせた状態で、ユーザの所定指示に従い、当該データ処理装置は、当該表示装置の重ね合わせの順番を検知し、最上面に位置する表示装置のデータを読み出し、別の表示装置に再記録することを特徴とする請求項４乃至６の何れか１項に記載の表示システム。
【請求項８】
複数の当該表示装置を重ね合わせた状態で、ユーザの所定指示に従い、当該データ処理装置は、当該表示装置の重ね合わせの順番を検知し、各表示装置に記憶される画像データを、予め決められた順番に従って各表示装置に入れ替えることを特徴とする請求項４乃至７の何れか１項に記載の表示システム。
【請求項９】
複数の当該表示装置を重ね合わせた状態で、ユーザの所定指示に従い、当該データ処理装置は、複数の当該表示装置に記録される画像データを消去可能であることを特徴とする請求項４乃至８の何れか１項に記載の表示システム。
【発明の詳細な説明】
【技術分野】
【０００１】
本発明は、表示画面を自己保持可能な複数の薄型表示装置によって構成される表示システムに関する。
【背景技術】
【０００２】
会議や一般事務など、情報の配布や閲覧に多くの紙を使用する環境で、紙の代替手段として液晶表示パネル及びＥＬパネル等の薄型表示装置を用いることがある。
【０００３】
データを配布するとき、データを保持する汎用コンピュータに薄型表示装置をケーブル接続し、データをコンピュータから薄型表示装置に転送する。あるいは、配布データをメモリカードに転送し、メモリカードを薄型表示装置に接続して、そのまま薄型表示装置の画面に表示するか、又は、メモリカードから薄型表示装置に転送して表示する。
【０００４】
このような表示システムは、情報を紙で配布する方法と比較して消耗品コストが掛からないという特徴がある。
【特許文献１】特開２０００−２９３１２０号公報
【発明の開示】
【発明が解決しようとする課題】
【０００５】
しかし、上述の方法には、以下のような問題がある。即ち、データの転送を行う際に汎用コンピュータ又はメモリカードを使用するので、操作が煩雑であり、紙の代替手段としては手軽に使用できなかった。紙と複写機を組み合わせた使用法と比較して、消耗品コストは減少するものの、利便性で劣り、使い勝手が悪い。
【０００６】
本発明は、会議や一般事務など、情報の配布や閲覧に多くの紙を使用する環境で、紙の代替手段として使用可能な、薄型表示装置を使用する表示システムを提示することを目的とする。
【課題を解決するための手段】
【０００７】
本発明に係る表示システムは、第１の通信手段、画像メモリ、及び当該画像メモリの記憶画像を表示する表示デバイスを具備する表示装置（１００）と、操作手段、当該表示装置の当該第１の通信手段に接続可能な第２の通信手段及びメモリを具備するデータ処理装置とを具備する表示システムであって、当該データ処理装置は、当該表示装置と接続する状態で、ユーザの所定指示に従い、当該表示装置の当該画像メモリの記憶内容を当該メモリに読み込み、当該所定指示に応じた処理を行い、処理されたデータを当該表示装置の当該画像メモリに転送することを特徴とする。
【発明の効果】
【０００８】
本発明によれば、単純な構成で紙の代替手段として使用可能な、利便性の高い表示システムを安価に提供できる。
【発明を実施するための最良の形態】
【０００９】
以下、図面を参照して、本発明の実施例を詳細に説明する。
【実施例１】
【００１０】
図１は、本発明の一実施例の概略構成図を示す。１００は両面に薄型液晶表示部を持つ表示装置、１０１は表示装置１００の両面４隅にある通信端子対、１０２はデータ処理装置、１０３はデータ処理装置１０２の第１の通信端子（ＣＯＭ１）、１０４は操作ダイヤル、１０５は小型液晶表示装置、１０６は蝶番、１０７は、表示装置１００以外と通信するための第２の通信端子（ＣＯＭ２）、１０８はモード切替えスイッチである。
【００１１】
図２は、表示装置１００の正面図（ａ）、背面図（ｂ）及び側面図（ｃ）を示す。表示装置１００は表面・裏面共に、液晶表示部２１０及び２１１を具備し、２端子からなる通信端子１０１を両面４隅に合計８カ所に具備する。
【００１２】
表示装置１００の表面に、通信端子２０１Ａ，２０１Ｂ、通信端子２０２Ａ，２０２Ｂ、通信端子２０３Ａ，２０３Ｂ、通信端子２０４Ａ，２０４Ｂが配置され、装置１００の裏面に通信端子２０５Ａ，２０５Ｂ、通信端子２０６Ａ，２０６Ｂ、通信端子２０７Ａ，２０７Ｂ、通信端子２０８Ａ、２０８Ｂが配置される。
【００１３】
図２（ｃ）に示すように、表示装置１００の各コーナーに位置する表裏の通信端子は、一体化しておらず、電気的にも分離している。
【００１４】
以下の説明では、通信ポート２０１Ａ，２０１Ｂ；２０４Ａ，２０４Ｂ；２０５Ａ，２０５Ｂ；２０８Ａ、２０８Ｂを使用しないが、どの通信端子を使用するかは、ユーザの自由である。用途及びシステム構成によっては、いくつかの通信端子を省略できる。
【００１５】
図３は、表示装置１００の概略構成ブロック図を示す。通信端子２０１Ａ，２０１Ｂ，２０２Ａ，〜２０８Ｂは、チャネルセレクタ３０１に接続する。説明上、通信端子２０１Ａ，２０１Ｂ、通信端子２０２Ａ，２０２Ｂ、通信端子２０３Ａ，２０３Ｂ、通信端子２０４Ａ，２０４Ｂが配置され、装置１００の裏面に通信端子２０５Ａ，２０５Ｂ、通信端子２０６Ａ，２０６Ｂ、通信端子２０７Ａ，２０７Ｂ、及び通信端子２０８Ａ、２０８Ｂを、それぞれ、チャネル１〜８の通信に割り当ててあるとする。チャネルセレクタ３０１は、８チャネルの通信チャネルの内のオンラインになっている１つを検知し、通信チャネルとして選択する。
【００１６】
ＭＰＵ３０２は、内部にプログラムと表示装置１００の固有番号ＩＤＤを記録した読み書き可能な不揮発性メモリ（ＲＡＭ）を具備し、チャネルセレクタ３０１とビデオメモリ（ＶＲＡＭ）３０３を制御する。ＶＲＡＭ３０３は読み書き可能な不揮発性ビデオメモリであり、薄型液晶表示デバイス（ＬＣＤ）３０４，３０５に表示されるデータを保持する。
【００１７】
ＬＣＤ３０４，３０５は、内部に表示用駆動回路を内蔵する。ＬＣＤ３０５は、表面側の液晶表示部２１０となり、ＬＣＤ３０４は、裏面側の液晶表示部２１１となる。ＶＲＡＭ３０３は、ＬＣＤ３０４，３０５に表示される画像の画像データを点順次画素データとして保持する。
【００１８】
図４は、データ処理装置１０２の概略構成ブロック図を示す。データ処理装置１０２の第１の通信端子１０３は、棒状に突出した対となる２つの端子１０３ａ，１０３ｂからなる。端子１０３ａ，１０３ｂは、通信インターフェース４０１を介してデータプロセッサ（ＭＰＵ）４０３に接続する。ＭＰＵ４０３は、フラッシュメモリ（ＦＲＯＭ）４０６に予め格納されたプログラムに従って動作する。ＦＲＯＭ４０６は、データ領域としても使用され、データ処理装置１０２に格納されるデータを保持する。ユーザは、ユーザーインターフェイス（ＵＩ）４０２によってＭＰＵ４０３、即ちデータ処理装置１０２を制御し、使用する。
【００１９】
データ処理装置１０２は、図１に図示したように、蝶番１０６を中心として折畳み自在であり、表示装置１００の何れかの通信端子１０１に通信端子１０５が電気的に接続するように、表示装置１００を挟むことができる。データ処理装置１０２は、この挟み込み動作によってオンになる折り曲げ検出スイッチを具備する。この折り曲げ検出スイッチは、ＵＩ４０２の一部である。ＵＩ４０２は更に、操作ダイヤル１０４及びモード切替えスイッチ１０８を含む。
【００２０】
データ処理装置１０２は、ＦＲＯＭ４０６に格納されているデータを閲覧するための小さな液晶パネル（ＬＣＤ）４０５を具備し、液晶表示パネル４０５の表示内容を保持するＶＲＡＭ４０４を具備する。ＶＲＡＭ４０４は、ＶＲＡＭ３０３の半分の記録容量を持つ。ユーザは、ＬＣＤ４０５によって、利用に際してデータ処理装置１０２の動作を確認できる。ＶＲＡＭ４０４は、画像データを点順次画素データとして保持する。
【００２１】
通信端子１０７は、外部の汎用コンピュータに接続可能である。通信端子１０７を介して、ＦＲＯＭ４０６に記録されている画像データを更新できる。
【００２２】
データ処理装置１０２により、表示装置１００の１つの表示パネル、例えば、ＬＣＶＤ２０４の表示データを更新する動作を説明する。
【００２３】
ユーザは、データ処理装置１０２のモード切替えスイッチ１０８を操作し、ライト（Ｗ）モードに切り替える。図５は、モード切替えスイッチ１０８の側面図を示す。モード切替えスイッチ１０８は、Ｃ，Ｗ，Ｅ，Ｓ，Ｒの４つのポジションを持つ。
【００２４】
Ｃはコピーモードを意味する。コピーモードでは、重ねて配置される表示装置の内の、いちばん上の表示パネルに表示される画像が、他の表示パネルにコピーされる。Ｗは書き込み（ライト）モードを意味する。ライトモードでは、データ処理装置１０２に保存されているデータが表示装置に書き込まれる。Ｅは消去モードを意味し、表示装置の記憶データを消去する。Ｓはソートモードを意味し、重ねられた複数の表示装置に記憶されるデータの内、文書番号に一致するデータをページ順に並び替える。Ｒはランダムモードを意味し、表示装置のデータをランダムにシャッフルして再保存する。
【００２５】
ユーザは、表示装置１００に書き込むべき画像データを選択する。操作ダイヤル１０４を回転すると、データ処理装置１０２に記憶されている画像データを示す情報（例えば、ファイル名）又はそのリストが液晶パネル１０５に表示される。選択対象の画像が液晶パネル１０５に表示されている位置で操作ダイヤル１０４の回転を中止する。
【００２６】
表示装置１００の右肩部分をデータ処理装置１０２で挟み込むように、表示装置１００の通信端子１０１とデータ処理装置１０２の通信端子１０３とを接続する。表示装置１００が何らかの文書・図形を表示しているときには、表示装置１００を、その上下方向方向が規定の方向であり、上面が表面になっている状態で、表示装置１００の右肩部分の通信端子１０１にデータ処理装置１０２の通信端子１０３を接続する。
【００２７】
選択された画像データの表示装置１００への転送をデータ処理装置１０２に指示する。この指示に応じて、データ処理装置１０２は、選択された画像データを表示装置１００に転送し、表示装置１００は、その画像データを記憶すると共に、表面側の液晶表示パネルに画像として表示する。
【００２８】
図６は、ライトモードでのデータ処理装置１０２の動作フローチャートを示す。ＦＲＯＭ４０６には、ライトモードに応じたＭＰＵ４０３の動作プログラムが格納されており、ＭＰＵ４０３は、このプログラムに従って下記のように動作する。
【００２９】
ＭＰＵ４０３は、ＵＩ４０２のモード切替えスイッチがＷ位置になったことを検知し、Ｗモードを開始する（６０１）。ＭＰＵ４０３は、ＵＩ４０２の操作ダイヤルの回転を検知する（６０２）。
【００３０】
ダイヤルが回転されない場合には、ＭＰＵ４０３は、ＦＲＯＭ４０６に書き込まれている画像をＶＲＡＭ４０４に転送する。転送された画像データはＬＣＤ４０５に表示され、ユーザは、画像データの内容を視認できる（６０３）。図７は、ＦＲＯＭ４０６のメモリマップ例を示す。図７では、ＦＲＯＭ４０６の画像記録領域に３枚の画像が記録されている。画像が記録されている領域のデータポインタは、画像１，２，３に対しそれぞれＩＡＤ１，ＩＡＤ２，ＩＡＤ３である。
【００３１】
ＭＰＵ４０３は、操作ダイヤルが回転するたびに（６０２）、ＶＲＡＭ４０４に転送する画像のデータポインタをＩＡＤ１→ＩＡＤ２→ＩＡＤ３→ＩＡＤ１と循環的に選択し（６０５）、対応する画像データをＶＲＡＭ４０４に転送する（６０３）。操作ダイヤルが逆回転した場合には、データポインタは逆方向に循環する。
【００３２】
データ処理装置１０２は、蝶番１０６を中心に折畳み可能である。ユーザがデータ処理装置１０２を折り畳むと、ＵＩ４０２の折り畳み検出スイッチがオンとなる。折り畳み検出スイッチは、表示装置１００をデータ処理装置１０２によって挟み込み、表示装置１００の通信端子１０１とデータ処理装置１０２の通信端子１０３が十分に接触して通信が可能になる状態でオンになるように、予め調整されている。
【００３３】
折り畳み検出スイッチがオンになると、ＭＰＵ４０３は、表示装置１００の通信端子１０１とデータ処理装置１０２の通信端子１０３が接触したと判断し、表示装置１００との通信を開始する（６０４）。ここでは、データポインタがＩＡＤ３、つまり、図７における画像３がユーザによって選択されたと仮定する。
【００３４】
データ処理装置１０２のＭＰＵ４０３は、通信Ｉ／Ｆ４０１及び通信端子１０３ａ，１０３ｂを介して表示装置１００に接続開始信号ＳＴＴを送出する（６０４）。接続が不完全でエラーになる場合（６０６）、ＭＰＵ４０３は、ＶＲＡＭ４０４にエラーメッセージを示すデータを書き込む（６０７）。これにより、ＬＣＤ４０５にそのエラーメッセージが表示され、ユーザは通信不良を認識できる。
【００３５】
表示装置１００のＭＰＵ３０２は、チャネルセレクタ３０１を用いて、８チャネルの通信端子１０１のどのチャネルに接続開始信号ＳＴＴが入力したかを判断し、データ処理装置１０２のＭＰＵ４０３に接続通信チャネルデータＣＤＴを送信する（６０８）。ＣＤＴは、チャネル番号１〜８に対応した番号となる。
【００３６】
データ処理装置１０２のＭＰＵ４０３は、表示装置１００のＭＰＵ３０２の内部ＲＡＭに記憶される表示装置固有番号ＩＤＤを読み出し、続いて、ＶＲＡＭ３０３に保存されているデータの一部を読み出す（６０９）。ＶＲＡＭ３０３には、（３０５）ＬＣＤ３０４，３０５の表示に対応する画像データが保存されているが、どの部分を読み出すかは、ステップ６０８で得たチャネルデータＣＤＴに依存する。データ処理装置は、表示装置１００の右肩部分に接続するので、対応するチャネルは２，３，６，７である。これ以外のチャネル番号が得られた場合には、ＭＰＵ４０３は、エラーをＬＣＤ４０５に表示する。処理中に、通信がなんらかの原因で中断・途絶した場合にも同様に、ＭＰＵ４０３は、エラーをＬＣＤ４０５に表示する。
【００３７】
図８は、ＶＲＡＭ３０３のメモリマップと、ＬＣＤ３０５およびＬＣＤ３０４との表示対応を示す。ユーザにとって表示装置の「どこが右肩」となるかは、表示内容によって異なる。図８で、ＣＤＴ＝３のときには、チャネル３に対応する通信端子２０３Ａ、２０３Ｂが存在する角が、ユーザにとって表示装置１００の右肩である。また、ＣＤＴ＝２のときには、チャネル３に対応する通信端子２０２Ａ，２０２Ｂが存在する角が、ユーザにとって表示装置１００の右肩である。そのため、ＶＲＡＭ３０３のメモリマップ領域エリアＦおよびＲには、上記対応に従って画像データが１８０度回転したイメージで記録される。
【００３８】
ＣＤＴが２又は３のとき、ＭＰＵ３０２は、ＶＲＡＭ３０３のエリアＦのデータをＭＰＵ４０３に転送する。また、ＣＤＴ＝６又は７のとき、ＭＰＵ３０２はエリアＲのデータをＭＰＵ４０３に転送する。
【００３９】
ここでは、ＣＤＴ＝６であると仮定する。つまり、ユーザにとって、表示装置１００は、表示パネル２１１（図２）、即ち、ＬＣＤ３０４が表面になっており、さらに、図２に示す配置とは、天地が１８０度回転した向きで使用していることになる。
【００４０】
ＭＰＵ４０３は、転送されたデータをＶＲＡＭ４０４に保存する。また、ＭＰＵ３０２との通信によって得られたＩＤＤを内部レジスタに保持する。同じデータがＬＣＤ４０５に表示されるので、転送が終了すると、ユーザには、表示装置１００のデータがデータ処理装置１０２にコピーされたように見える。転送中にエラーがあった場合には、最初から処理（６０９）をやり直す。
【００４１】
ＭＰＵ４０３は、図７における画像３をチャネル６を通じて表示装置１００のＭＰＵ３０２に転送する（６１１）。ＭＰＵ４０３は、書き込み開始信号ＳＴＷをＭＰＵ３０２に送信し、続いて、ＦＲＯＭ４０６のデータポインタＩＡＤ３Ｌからデータを逆順に読み出し、ＭＰＵ３０２に送信する。ＭＰＵ３０２は、受信したデータを点順次データとしてＶＲＡＭ３０３のエリアＲに書き込んでゆく。データポインタＩＡＤ３Ｌは、画像データ３を構成する画素データの最終アドレスである。画像データが点順次画素データとして記録されるので、ＩＡＤ３Ｌから読み出したデータは、ＭＰＵ３２０により、１８０度回転したイメージでＶＲＡＭ３０３のエリアＲに書き込まれる。この動作により、ユーザは、表示装置１００を自ら回転させることなく、データを正立状態で視認できる。
【００４２】
ＭＰＵ４０３は、ＣＤＴ＝６又は７のとき、上記のように画像データを最終アドレスから逆順に読み出す。また、ＣＤＴ＝２又は３の時には、先頭アドレスから順次、読み出す。転送中にエラーがあった場合には、最初から処理（６１１）をやり直す。
【００４３】
ＭＰＵ４０３は、ＶＲＡＭ４０４に記録されているデータをＦＲＯＭ４０６の、図７に示す画像３が記録されているエリアに書き込む（６１２）。続いて、ＭＰＵ４０３は、ＶＲＡＭ４０４に「転送完了」を示すＵＩデータを書き込み、ＬＣＤ４０５に表示させる。これにより、ユーザに転送終了を通知する。
【００４４】
ＭＰＵ４０３は、ステップ６１０で内蔵レジスタに保持している表示装置固有番号ＩＤＤと、ステップ６０４で得たデータポインタＩＡＤ３の対応を、ＦＲＯＭ４０６の文書属性テーブルＤＡＴＢに書き込む。ＤＡＴＢの内容例を図７に図示してある。ＤＡＴＢは、ＦＲＯＭ４０６に記録されている画像データアドレスと、通信時のチャネル番号ＣＤＴ、表示装置固有番号ＩＤＤ、文書番号ＤＩＤ、及びページ番号ＤＰＮによって構成されるデータテーブル群である。ＤＩＤ，ＤＰＮについては、実施例２で説明する。これにより、データ処理装置１０２は、保持する画像がどの表示装置のどの表示画面と対応していたかを判断することができる。
【００４５】
以上でライトモードを終了する（６１３）。
【実施例２】
【００４６】
本発明の第２実施例を説明する。第２実施例では、３つの表示装置を使用する。
【００４７】
コピーモードの動作を説明する。コピーモードにより、ユーザは、ユーザに面した表示装置に表示されている内容を、重なり合った他の表示装置に容易にコピーできる。具体的には、以下の流れになる。
【００４８】
先ず、ユーザは、データ処理装置１０２のモード切替えスイッチ１０８をＣモード（コピーモード）に切り替える。ユーザは（１０４）操作ダイヤル１０４を回転さし（１０５）、ＬＣＤ４０５の表示を参照して、コピー元となる表示装置を選択する。選択を行わないと、重ねられた表示装置の一番上に位置する表示装置が選択される。
【００４９】
次に、ユーザは、表示装置１００と同様の構成の３枚の表示装置Ｄ１，Ｄ２，Ｄ３を重ねる。重ねた一番上の表示装置（例えば、Ｄ１）に文書が表示されている状態で、右肩部分をデータ処理装置１０２で挟み込む。ここでは、表示装置１００と同様の構成の３枚の表示装置を重ねるとしたが、本発明は、表示装置の枚数によって制限されない。重なった３枚の表示装置Ｄ１，Ｄ２，Ｄ３の対面する通信端子が互いに接続している様子の側面図を図９に示す。
【００５０】
ユーザが指定した表示装置に表示されている内容が、所定の操作により、その他２枚の表示装置にコピーされる。
【００５１】
図１０は、コピーモードでのデータ処理装置１０２の動作フローチャートを示す。この動作に対応するプログラムがＦＲＯＭ４０６に予め記録されており、ＭＰＵ４０３は、このプログラムに従って下記のように動作する。
【００５２】
ＭＰＵ４０３は、ＵＩ４０２のモード切替えスイッチがＣ位置になったことを検知し、コピーモードを開始する（１００１）。ユーザは、操作ダイヤル１０４を回転し、ＬＣＤ１０５の表示によって、コピー元となる表示装置を選択する。ここでは、重ねられた表示装置の一番上に位置する表示装置Ｄ１が選択されたとする。
【００５３】
第１実施例のステップ６０４と同様に、データ処理装置１０２と表示装置Ｄ１，Ｄ２，Ｄ３との通信接続を確立する（１００２）。データ処理装置１０２を第１実施例と同様に折り畳むことで、ＭＰＵ４０３は、ステップ６０４と同様に通信を開始する。
【００５４】
データ処理装置１０２のＭＰＵ４０３は、何枚の表示装置が重ねられているかを検出する（１００３）。まず、ＭＰＵ４０３は、表示装置Ｄ１のＭＰＵ３０２（以下、ＭＰＵ３０２＠Ｄ１と表記する）と通信する。ＭＰＵ４０３は、ＭＰＵ３０２＠Ｄ１に終端検索要求メッセージＭＳＧ＿ＦＥと接続ナンバーＭＳＧ＿ＣＯ＝１を送出する。
【００５５】
表示装置Ｄ１のＭＰＵ３０２は、このメッセージに対し、以下のように動作する。
【００５６】
動作１）ＭＳＧ＿ＦＥとＭＳＧ＿ＣＯを特定の通信チャネルで受信すると、この通信チャネルの裏側に位置する通信チャネルで他の表示装置との通信を試みる。他の表示装置を検出すると、内蔵するレジスタにＭＳＧ＿ＣＯの値を保持し、１を加算して送出する。ＭＳＧ＿ＦＥを受信すると、受信したチャネルをＣＯＨ（データ処理装置側チャネル）、反対側に位置するチャネルをＣＯＳ（表示装置側チャネル）と認識し、内蔵レジスタに保持する。
【００５７】
動作２）動作１で他の表示装置を検出できなかったとき、従続接続の終端を示すＭＳＧ＿ＳＣＥにＭＳＧ＿ＣＯを代入して、ＣＯＨ通信チャネルから送出する。
【００５８】
動作３）通信チャネルＣＯＳからＭＳＧ＿ＳＣＥを受信した場合、受信したチャネルの裏面に位置する通信チャネルＣＯＨへＭＳＧ＿ＳＣＥを転送する。
【００５９】
これらの動作の結果、ＭＰＵ３０２＠Ｄ１は、ＭＰＵ４０３と通信が確立したチャネル３（＝ＣＯＨ）の裏面に位置するチャネル５（＝ＣＯＳ）から、ＭＳＧ＿ＦＥ及び接続ナンバーＭＳＧ＿ＣＯ＝２を表示装置Ｄ２に送信する。この時点で、ＭＰＵ３０２＠Ｄ１は、表示装置Ｄ１が最もデータ処理装置１０２に近い位置にあることを認識しており、ＭＰＵ３０２＠Ｄ１の内蔵レジスタにＭＳＧ＿ＣＯ＝１を保持する。また、ＣＯＨ＝３、ＣＯＳ＝５を保持する。
【００６０】
ＭＰＵ３０２＠Ｄ２は、ＭＰＵ３０２＠Ｄ１からＭＳＧ＿ＦＥメッセージを受け取ったあと、ＭＰＵ３０２＠Ｄ１と通信が確立したチャネル６（＝ＣＯＨ）の裏面に位置するチャネル２（＝ＣＯＳ）に接続されている表示装置Ｄ３を検出する。内蔵するレジスタにＭＳＧ＿ＣＯ＝２、ＣＯＨ＝６，ＣＯＳ＝２を保持し、ＭＳＧ＿ＣＯ＝３及びＭＳＧ＿ＦＥをＭＰＵ３０２＠Ｄ３に送信する。
【００６１】
ＭＰＵ３０２＠Ｄ３は、チャネル５に接続されている表示装置を検出できないので、上記動作２）に従い、メッセージＭＳＧ＿ＳＣＥにＭＳＧ＿ＣＯ＝３を代入し、チャネル３からＭＰＵ３０２＠Ｄ２に送信する。メッセージＭＳＧ＿ＳＣＥは、ＭＰＵ３０２＠Ｄ２及びＭＰＵ３０２＠Ｄ１を経由して、データ処理装置１０２に伝達される。
【００６２】
データ処理装置１０２は、ＭＳＧ＿ＣＯ＝３を受信することで、現在、３つの表示装置Ｄ１，Ｄ２，Ｄ３が従続接続されていることを検知する。
【００６３】
データ処理装置１０２は、表示装置Ｄ１の表示内容を表示装置Ｄ２にコピーするように表示装置Ｄ１，Ｄ２を制御する（１００４）。具体的には、ＭＰＵ４０３は、データ処理装置１０２にステップ１００１でユーザによって選択されたコピー元の表示装置の表示データをＦＲＯＭ４０６に転送する。ここでは、ユーザによって最上面の表示装置Ｄ１が選択されているものとする。
【００６４】
ＭＰＵ４０３は、ＭＰＵ３０２＠Ｄ１に画像データ要求メッセージＭＳＧ＿ＧＥＴとコピー元ナンバーＭＳＧ＿ＣＰＦ＝１を送信する。これに対し、表示装置Ｄ１，Ｄ２，Ｄ３のＭＰＵ３０２は、以下のように動作する。
【００６５】
動作１）メッセージＭＳＧ＿ＧＥＴを受信すると、同時に受信するＭＳＧ＿ＣＰＦとステップ１００３でレジスタに保存しているＭＳＧ＿ＣＯの値とを比較する。ＭＳＧ＿ＣＯの値がＭＳＧ＿ＣＰＦに等しければ、ＣＯＨの値と、ＶＲＡＭ３０３のデータをＣＯＨ通信チャネルから送信する。送信が終了したら、送信終了メッセージＭＳＧ＿ＳＥをＣＯＨに送信する。
【００６６】
動作２）動作１の条件に当てはまらない表示装置のＭＰＵ３０２は、ＭＳＧ＿ＧＥＴの直後に流れてくるデータを全て、通信チャネルＣＯＳからＣＯＨにそのまま転送する。また、送信終了メッセージＭＳＧ＿ＳＥも、通信チャネルＣＯＨからＣＯＳに転送する。
【００６７】
上記動作１，２により、ＭＰＵ３０２＠Ｄ１は、ＭＳＧ＿ＣＰＦ＝ＭＳＧ＿ＣＯ＝１であるので、自身がコピー元と判断し、ＶＲＡＭ３０３＠Ｄ１のデータを送信する。
【００６８】
ＭＰＵ４０３は、データの前に受信するＣＯＨの値を利用し、第１実施例のステップ６０９の動作と同様にコピーを実行する。ここで、図８におけるエリアＦのデータはＦＲＯＭ４０６におけるＩＡＤ１から始まるエリア（図７）にコピーされ、エリアＲのデータはＩＡＤ２から始まるエリアにコピーされる。
【００６９】
データ処理装置１０２のＭＰＵ４０３は、ステップ１００４でＦＲＯＭ４０６に記録したデータを表示装置Ｄ２に保存する（１００５）。ＭＰＵ４０３はまず、表示装置Ｄ２のＣＯＨを得る。次に、ＣＯＨの値に従い、下記のデータ転送を実行する。
【００７０】
即ち、ＣＯＨ＝３のとき、ＦＲＯＭ４０６におけるＩＡＤ１から始まるデータを、表示装置Ｄ２のＶＲＡＭ３０３（以下、ＶＲＡＭ３０３＠Ｄ２と表記する）のエリアＦにコピーし、ＩＡＤ２から始まるデータをエリアＲにコピーする。
【００７１】
ＣＯＨ＝２のとき、ＦＲＯＭ４０６におけるＩＡＤ１から始まるデータを、ＶＲＡＭ３０３＠Ｄ２のエリアＦに１８０度回転してコピー、ＩＡＤ２から始まるデータをエリアＲに１８０度回転してコピーする。
【００７２】
ＣＯＨ＝７のとき、ＦＲＯＭ４０６におけるＩＡＤ１から始まるデータを、ＶＲＡＭ３０３＠Ｄ２のエリアＲにコピーし、ＩＡＤ２から始まるデータをエリアＦにコピーする。
【００７３】
ＣＯＨ＝６のとき、ＦＲＯＭ４０６におけるＩＡＤ１から始まるデータを、ＶＲＡＭ３０３＠Ｄ２のエリアＲに１８０度回転してコピー、ＩＡＤ２から始まるデータをエリアＦに１８０度回転してコピーする。
【００７４】
このようなコピーにより、表示装置Ｄ２の本来の裏表および上下方向に関わらず、ユーザから見た表示方向が一致する。
【００７５】
データ処理装置１０２のＭＰＵ４０３は、ステップ１００４でＦＲＯＭ４０６に記録したデータを表示装置Ｄ３に保存する（１００６）。具体的には、ＭＰＵ４０３はまず、表示装置Ｄ３のＣＯＨを得る。次に、ＣＯＨの値に従い、下記のデータ転送を実行する。
【００７６】
ＣＯＨ＝３のとき、ＦＲＯＭ４０６におけるＩＡＤ１から始まるデータを、ＶＲＡＭ３０３＠Ｄ３のエリアＦにコピーし、ＩＡＤ２から始まるデータをエリアＲにコピーする。
ＣＯＨ＝２のとき、ＦＲＯＭ４０６におけるＩＡＤ１から始まるデータを、ＶＲＡＭ３０３＠Ｄ３のエリアＦに１８０度回転してコピー、ＩＡＤ２から始まるデータをエリアＲに１８０度回転してコピーする。
【００７７】
ＣＯＨ＝７のとき、ＦＲＯＭ４０６におけるＩＡＤ１から始まるデータを、ＶＲＡＭ３０３＠Ｄ３のエリアＲにコピーし、ＩＡＤ２から始まるデータをエリアＦにコピーする。
【００７８】
ＣＯＨ＝６のとき、ＦＲＯＭ４０６におけるＩＡＤ１から始まるデータを、ＶＲＡＭ３０３＠Ｄ３のエリアＲに１８０度回転してコピー、ＩＡＤ２から始まるデータをエリアＦに１８０度回転してコピーする。
【００７９】
以上で、コピーモードを終了する（１００７）。
【００８０】
以上のコピー動作により、表示装置Ｄ３の本来の裏表及び上下方向に関わらず、ユーザから見た表示方向が一致して、データがコピーされる。
【００８１】
次に、消去モードを説明する。消去モードでは、ユーザは、全ての表示装置に表示されている内容を消去できる。消去モードの動作手順は、以下の通りである。
【００８２】
データ処理装置１０２のモード切替えスイッチ１０８をＥモード（消去モード）に切り替える。３枚の表示装置Ｄ１，Ｄ２，Ｄ３を重ね、右肩部分をデータ処理装置１０２で挟み込む。消去モードでは、各表示装置に表示されている表示データの向きと裏表は関知しない。
【００８３】
消去モードの動作プログラムは、ＦＲＯＭ４０６に予め記録されており、ＭＰＵ４０３は、このプログラムに従って下記のように動作する。
【００８４】
ユーザによって消去モードが指示されると、データ処理装置１０２のＭＰＵ４０３は、ステップ１００３で述べた動作を実行して従続接続終端を検出し、次に、消去メッセージＭＳＧ＿ＥＲを送信する。
【００８５】
このメッセージに対し、表示装置Ｄ１，Ｄ２，Ｄ３のＭＰＵ３０２は、以下のように動作する。
【００８６】
動作１）ＭＳＧ＿ＥＲをＣＯＨ通信チャネルから受信したら、ＣＯＳ通信チャネルに転送送信する。ＣＯＳ通信チャネルに接続先相手を検知できない場合、即ち、従続接続の終端である場合には、何もしない。
【００８７】
動作２）ＭＳＧ＿ＥＲをＣＯＨ通信チャネルから受信したら、自身のＶＲＡＭ３０３の記憶データを消去する。消去が終了したら、ＣＯＳ通信チャネルから送られてくるＭＳＧ＿ＥＲＦ（後述）を待つ。受信したＭＳＧ＿ＥＲＦは、ＣＯＨ通信チャネルから送出される。
【００８８】
動作３）従続接続終端の表示装置は、ＶＲＡＭ３０３の記憶データを消去したら、消去終了メッセージＭＳＧ＿ＥＲＦをＣＯＨ通信チャネルから送出する。
【００８９】
以上の動作によって、データ処理装置１０２のＭＰＵ４０３から発行される消去メッセージＭＳＧ＿ＥＲは、ＭＰＵ３０２＠Ｄ１、ＭＰＵ３０２＠Ｄ２及びＭＰＵ３０２＠Ｄ３と伝達される。ＭＰＵ３０２Ｄ１、ＭＰＵ３０２＠Ｄ２及びＭＰＵ３０２＠Ｄ３は、それぞれのＶＲＡＭ３０３の記憶データを消去する。ＭＰＵ３０２＠Ｄ３は、従続接続の終端であるので、ＶＲＡＭ３０３の記憶データの消去後、ＭＳＧ＿ＥＲＦをＣＯＨ通信チャネルから送出する。このメッセージＭＳＧ＿ＥＲＦは、ＭＰＵ３０２＠Ｄ２及びＭＰＵ３０２＠Ｄ１を介して、データ処理装置１０２のＭＰＵ４０３に伝達される。この動作により、データ処理装置１０２のＭＰＵ４０３は、表示装置Ｄ１，Ｄ２，Ｄ３の表示内容が消去されたことを検知する。
【００９０】
ソートモードにより、ユーザは、重なり合った表示装置に記録されている内容をページ順に並べ替えることができる。また、ランダムモードでは、記録されている内容をページ順にランダムに並べ替えることができる。但し、上下方向は整列する。
【００９１】
ユーザは、データ処理装置１０２のモード切替えスイッチ１０８を操作し、Ｓモード（ソートモード）又はＲモード（ランダムモード）に切り替える。ソートしたい又はランダムにしたいデータを表示する全表示装置Ｄ１，Ｄ２，Ｄ３を重ね、その右肩部分をデータ処理装置１０２で挟み込む。ここでは、３枚の表示装置を重ねる例を示すが、本発明は、表示装置の枚数によって制限されない。重なった３枚の表示装置Ｄ１，Ｄ２，Ｄ３の通信端子が図９に示すように互いに接続しているとする。後述する手順で、表示装置Ｄ１，Ｄ２，Ｄ３の内容がページ順にソート又はシャッフルされる。裏表又は上下が逆転している内容も正しく方向に整えられる。
【００９２】
図１１は、ソートモード及びランダムモードの動作フローチャートを示す。ここでは、表示装置Ｄ１，Ｄ２、Ｄ３の記録領域ＶＲＡＭ３０３に画像データが記録されているとする。また、各表示装置Ｄ１，Ｄ２、Ｄ３のＭＰＵ３０２に内蔵されるＲＡＭには、画像データに対応したＤＡＴＢ(図７)が記録されている。図１１に対応するＭＰＵ４０３の動作プログラムがＦＲＯＭ４０６に記録されており、ＭＰＵ４０３は、このプログラムに従って下記のように動作する。
【００９３】
ＭＰＵ４０３は、ＵＩ４０２のモード切替えスイッチがＳ位置になったことを検知し、ソートモードを開始する（１１０１）。
【００９４】
第１実施例１のステップ６０４と同様に、データ処理装置１０２と表示装置Ｄ１，Ｄ２，Ｄ３との間の通信接続を確立する（１１０２）。データ処理装置を折り畳むことで、ＭＰＵ４０３は、ステップ６０４と同様に、表示装置Ｄ１，Ｄ２，Ｄ３との通信を開始する。
【００９５】
データ処理装置のＭＰＵ４０３は、コピーモードにおけるステップ１００３の動作と同じ動作で、何枚の表示装置が重ねられているかを検出する（１１０３）。
【００９６】
ＭＰＵ４０３は、表示装置Ｄ１，Ｄ２，Ｄ３のＶＲＡＭ３０３からデータをＦＲＯＭ４０６に転送する（１１０４）。データの転送前に、まず各表示装置Ｄ１，Ｄ２，Ｄ３のＣＯＨ番号と、ＭＰＵ３０２の内蔵ＲＡＭに記録されているＤＡＴＢを取得する。図１２は、このときのＦＲＯＭ４０６のメモリマップを示す。各表示装置Ｄ１，Ｄ２，Ｄ３のＶＲＡＭ３０３のデータ領域とＦＲＯＭ４０６のデータ領域との対応、およびＤＡＴＢの格納は、図１１に示すようになる。
【００９７】
図１３は、ＤＡＴＢに含まれるＣＤＴ番号及びＣＯＨ番号、エリアＦの転送先並びにエリアＲの転送先の対応表を示す。図１３に示す対応での転送により、第１実施例で述べたＷモードで記録した画像の正しい方向で、ＦＲＯＭ４０６に画像が正位置で保存される。
【００９８】
ソートモードでは、ＭＰＵ４０３は、ＦＲＯＭ４０６に展開された各ＤＡＴＢのＤＩＤデータとＤＰＮデータを元に、データをソートする（１１０５）。ＤＩＤデータは文書番号であり、同じＤＩＤデータを持つデータは同一の文書に属する。ＤＰＮデータは、文書のページ番号である。
【００９９】
例えば、Ｄ１に記録されていたＤＡＴＢ１がＤＩＤ＝１３９７、ＤＰＮ＝２、Ｄ２に記録されていたＤＡＴＢ２がＤＩＤ＝６２４９、ＤＰＮ＝１、Ｄ３に記録されていたＤＡＴＢ３がＤＩＤ＝１３９７、ＤＰＮ＝１であるとする。
【０１００】
ソートコードでは、ＭＰＵ４０３は、データをソートし、その結果として、ＦＲＯＭ４０６に記録されている表示装置Ｄ３のデータで表示装置Ｄ１を更新し、ＦＲＯＭ４０６に記録されている表示装置Ｄ２のデータで表示装置Ｄ３を更新し、ＦＲＯＭ４０６に記録されている表示装置Ｄ１のデータで表示装置Ｄ２を更新する。
【０１０１】
これにより、複数の表示装置Ｄ１，Ｄ２，Ｄ３にデータ順番に格納され上下方向も整列されて表示される。
【０１０２】
ランダムモードでは、ソートの代わりに、予め決められた乱数列に従って転送先が決定される。
【０１０３】
ＣＯＨ番号に従う各表示装置Ｄ１，Ｄ２，Ｄ３への転送例を図１４に示す。
【０１０４】
以上で、ソートモード又はシャッフルモードを終了する（１１０６）。
【０１０５】
上記実施例では、表示装置が、データ処理装置と個別に接続可能な複数の接続端子と、該データ処理装置と接続しているときに、どの接続端子を介して通信を行っているかをデータ処理装置に通知する手段と、データを記録したときに使用した接続端子の認識番号を保存及び通知する手段を具備することで、データ処理装置は、表示装置に表示されている表示内容を上下・裏表といった方向で知ることができ、コピー、ソート、シャッフルといったデータ処理を行うことが可能になる。これにより、従来の事務作業を効率化する効果がある。
【０１０６】
データ処理装置が、表示装置以外のコンピュータ又は記録媒体と通信を行う通信手段１０７を具備するので、データ処理装置に汎用コンピュータから表示データを保存でき、また、データのバックアップや整理を電気的に行える。これにより、従来、複写機およびドキュメントスキャナで行っていた事務作業を効率化かつ低コストで実現できる。
【図面の簡単な説明】
【０１０７】
【図１】本発明の一実施例の全体図である。
【図２】表示装置１００の正面図（ａ）、背面図（ｂ）及び側面図（ｃ）である。
【図３】表示装置１００概略構成ブロック図である。
【図４】データ処理装置１０２の概略構成ブロック図である。
【図５】モード選択ダイヤルの説明図である。
【図６】ライトモードのフローチャートである。
【図７】ＦＲＯＭ４０６のメモリマップである。
【図８】ＣＤＴと画像エリアの関係を示す図である。
【図９】複数の表示装置を重ね合わる場合の接続の側面図である。
【図１０】コピーモードのフローチャートである。
【図１１】ソートモード及び・ランダムモードのフローチャートである。
【図１２】第２実施例でのＦＲＯＭ４０６のメモリマップである。
【図１３】ＣＤＴ番号、ＣＯＨ番号、エリアＦの転送先及びエリアＲの転送先の対応表である。
【図１４】ＣＯＨ番号に従う各表示装置Ｄ１，Ｄ２，Ｄ３への転送例である。
【符号の説明】
【０１０８】
１００：表示装置
１０１：通信端子対
１０２：データ処理装置
１０３：通信端子（ＣＯＭ１）
１０３ａ，１０３ｂ：端子
１０４：操作ダイヤル
１０５：小型液晶表示装置
１０６：蝶番
１０７：通信端子（ＣＯＭ２）
１０８：モード切替えスイッチ
２１０，２１１：液晶表示部
２０１Ａ，２０１Ｂ：通信端子
２０２Ａ，２０２Ｂ：通信端子
２０３Ａ，２０３Ｂ：通信端子
２０４Ａ，２０４Ｂ：通信端子
２０５Ａ，２０５Ｂ：通信端子
２０６Ａ，２０６Ｂ：通信端子
２０７Ａ，２０７Ｂ：通信端子
２０８Ａ、２０８Ｂ：通信端子
３０１：チャネルセレクタ
３０２：ＭＰＵ
３０３：ビデオメモリ（ＶＲＡＭ）
３０４，３０５：液晶表示デバイス（ＬＣＤ）
４０１：通信インターフェース
４０２：ユーザインターフェース
４０３：データプロセッサ（ＭＰＵ）
４０４：ＶＲＡＭ
４０５：液晶パネル（ＬＣＤ）
４０６：フラッシュメモリ（ＦＲＯＭ）
【図１】
2005173477.tif 000003
【図２】
2005173477.tif 000004
【図３】
2005173477.tif 000005
【図４】
2005173477.tif 000006
【図５】
2005173477.tif 000007
【図６】
2005173477.tif 000008
【図７】
2005173477.tif 000009
【図８】
2005173477.tif 000010
【図９】
2005173477.tif 000011
【図１０】
2005173477.tif 000012
【図１１】
2005173477.tif 000013
【図１２】
2005173477.tif 000014
【図１３】
2005173477.tif 000015
【図１４】
2005173477.tif 000016